(57)【要約】【課題】製造コストの上昇を防止しながらも演出画像をバリエーション豊かにする。【解決手段】当たり抽選が終了すると演出態様抽選が実行される。演出態様抽選が終了すると、演出態様抽選で選択された字幕選択テーブルを用いて字幕選択抽選が実行される。字幕選択抽選は演出態様抽選で選択された字幕選択テーブルの当たり用テーブル又はハズレ用テーブルが選択され、選択されたテーブルで実行される。字幕選択抽選が終了すると図柄の変動表示が開始されるとともに、演出態様抽選で選択された字幕選択テーブルに対応する背景画像及び字幕選択抽選で選択された字幕画像が液晶ディスプレイから表示される。【選択図】図４
2007244756.tif 000002
【特許請求の範囲】
【請求項１】
当たり又はハズレを決定する当たり抽選の結果に基づいて選択された演出画像が画像表示装置から表示されるとともに前記画像表示装置で図柄の変動表示を行うことによって前記当たり抽選の結果が表示され、前記演出画像は背景画像と、前記背景画像と併せて表示されるとともに前記図柄とは別個に表示される字幕画像とから構成された遊技機であって、
複数種類の前記字幕画像が対応付けされた字幕選択テーブルを複数の前記背景画像の各々について互いに前記字幕画像の態様が異なるように複数設け、
前記字幕選択テーブル及び前記字幕選択テーブルに対応付けされた前記背景画像を演出態様抽選により選択する演出態様抽選手段と、
前記演出態様抽選で選択された前記字幕選択テーブルの前記字幕画像のいずれかを、前記当たり抽選の結果に応じた確率で実行される字幕選択抽選によって選択する字幕抽選手段と、
前記字幕選択抽選によって選択された前記字幕画像及びこの字幕画像に対応する前記背景画像を前記画像表示装置から表示させる表示制御手段とを設けたことを特徴とする遊技機。
【請求項２】
前記図柄の変動表示中に前記演出態様抽選及び前記字幕選択抽選が複数回行われるとともに、２回目以降の前記演出態様抽選では先行して選択された前記字幕選択テーブルの種類に応じて選択された前記字幕選択テーブルのうちのいずれかが前記演出態様抽選によって選択されることを特徴とする請求項１記載の遊技機。
【請求項３】
前記図柄の変動表示中に前記字幕選択抽選が複数回行われるとともに、各々の前記字幕選択抽選で用いる前記字幕選択テーブルの組み合わせが予め設定されており、前記演出態様抽選では前記字幕選択テーブルの組み合わせが選択されることを特徴とする請求項１記載の遊技機。
【請求項４】
前記字幕画像は、その種類に応じて表示色が異なることを特徴とする請求項１〜３のいずれかに記載の遊技機。
【請求項５】
前記字幕画像で表示された字幕の内容を音声で出力する音声出力手段を設け、
前記音声出力手段は、前記字幕画像の種類に応じて音声のイントネーションを異ならせることを特徴とする請求項１〜４のいずれかに記載の遊技機。
【請求項６】
字幕選択テーブル及び前記字幕選択テーブルに対応付けされた背景画像を演出態様抽選により選択する演出態様抽選手段、
前記演出態様抽選で選択された前記字幕選択テーブルの前記字幕画像のいずれかを、当たり又はハズレを決定する当たり抽選の結果に応じた確率で実行される字幕選択抽選によって選択する字幕抽選手段、
前記字幕選択抽選によって選択された前記字幕画像及びこの字幕画像に対応する前記背景画像を前記画像表示装置から表示させる表示制御手段として遊技機のコンピュータを機能させるためのプログラム。
【請求項７】
請求項６記載のプログラムを記録したコンピュータ読み取り可能な記録媒体。
【発明の詳細な説明】
【技術分野】
【０００１】
本発明は、演出表示用の画像表示装置を備えた遊技機に関するものである。
【背景技術】
【０００２】
最近のパチンコ機やスロットマシンには、液晶ディスプレイなどの画像表示装置が組み込まれ、遊技の進行状況に応じて画像による様々な演出が行われるようになっている。例えばパチンコ機では、遊技盤面内の特定の入賞口（始動口）にパチンコ球が入ると、乱数を利用した当たり抽選が行われるとともに、画像表示装置に数字やマークなどの図柄が変動表示され、当たり抽選によって当たりが決定されているときには、独特の演出画像が表示された後に図柄の変動表示が停止して、「７７７」などの当たり図柄が停止表示される。
【０００３】
こうして当たり図柄が停止表示されると、遊技盤面に組み込まれた開閉板（アタッカ）が開放して通常では塞がれている大入賞口が現れ、遊技盤面を流下するパチンコ球の大半が入賞しやすい状態となる。アタッカが開放して大入賞口に一定個数のパチンコ球が入るか又は一定時間が経過すると、アタッカは一旦閉止する（第１ラウンドの終了）。一旦閉止されたアタッカは再び開放され第２ラウンドへと移行する。第２ラウンド以降もアタッカは同様に開閉制御され、例えば１５ラウンドまで繰り返すことができるのが通常となっている。
【０００４】
このように、画像表示装置は単に図柄の変動表示に用いられるだけでなく、遊技者の興趣を高めるための演出画像の表示にも利用され、演出画像にも様々な態様のものが用意されている。（例えば特許文献１）そして、当たり抽選で当たりが決定されたときでも、複数種類の演出画像のいずれを用いるかは演出抽選によって選択され、必ずしも一律の演出画像にはならない。
【０００５】
一方、当たり抽選でハズレが決定されたときでも演出抽選が行われ、図柄の変動表示とともに演出画像が表示されるのが通常で、その演出画像の中には図柄の変動表示の背景画像で独特のキャラクタを移動表示させて当たりを予想させたりするものなどがあり、遊技者の興趣を高めるための工夫がなされている。
【特許文献１】特開２０００−２１７９８６号公報
【発明の開示】
【発明が解決しようとする課題】
【０００６】
ところで、最近のパチンコ機では、１回の図柄の変動表示中に複数種類の演出画像が表示されるものなど、遊技の内容をバリエーション豊かにするために演出画像の種類を増加させる傾向にある。しかし、演出画像の種類が増加することは、それに伴って演出画像の表示データを格納したメモリの容量が大きくなり、パチンコ機の製造コストが上昇する原因となっている。
【０００７】
本発明は上記事情を考慮してなされたもので、製造コストの上昇を防止しながらも演出画像をバリエーション豊かにすることができる遊技機、プログラム及び記録媒体を提供することを目的とする。
【課題を解決するための手段】
【０００８】
上記目的を達成するために、請求項１記載の遊技機は、当たり又はハズレを決定する当たり抽選の結果に基づいて選択された演出画像が画像表示装置から表示されるとともに前記画像表示装置で図柄の変動表示を行うことによって前記当たり抽選の結果が表示され、前記演出画像は背景画像と、前記背景画像と併せて表示されるとともに前記図柄とは別個に表示される字幕画像とから構成された遊技機であって、複数種類の前記字幕画像が対応付けされた字幕選択テーブルを複数の前記背景画像の各々について互いに前記字幕画像の態様が異なるように複数設け、前記字幕選択テーブル及び前記字幕選択テーブルに対応付けされた前記背景画像を演出態様抽選により選択する演出態様抽選手段と、前記演出態様抽選で選択された前記字幕選択テーブルの前記字幕画像のいずれかを、前記当たり抽選の結果に応じた確率で実行される字幕選択抽選によって選択する字幕抽選手段と、前記字幕選択抽選によって選択された前記字幕画像及びこの字幕画像に対応する前記背景画像を前記画像表示装置から表示させる表示制御手段とを設けたものである。
【０００９】
なお、前記図柄の変動表示中に前記演出態様抽選及び前記字幕選択抽選が複数回行われるとともに、２回目以降の前記演出態様抽選では先行して選択された前記字幕選択テーブルの種類に応じて選択された前記字幕選択テーブルのうちのいずれかが前記演出態様抽選によって選択されることが好ましい。
【００１０】
上記の他、前記図柄の変動表示中に前記字幕選択抽選が複数回行われるとともに、各々の前記字幕選択抽選で用いる前記字幕選択テーブルの組み合わせが予め設定されており、前記演出態様抽選では前記字幕選択テーブルの組み合わせが選択されることが好ましい。
【００１１】
また、前記字幕画像は、その種類に応じて表示色が異なることが好ましい。
【００１２】
また、前記字幕画像で表示された字幕の内容を音声で出力する音声出力手段を設け、前記音声出力手段は、前記字幕画像の種類に応じて音声のイントネーションを異ならせることが好ましい。
【００１３】
なお、本発明のプログラムは、字幕選択テーブル及び前記字幕選択テーブルに対応付けされた背景画像を演出態様抽選により選択する演出態様抽選手段、前記演出態様抽選で選択された前記字幕選択テーブルの前記字幕画像のいずれかを、当たり又はハズレを決定する当たり抽選の結果に応じた確率で実行される字幕選択抽選によって選択する字幕抽選手段、前記字幕選択抽選によって選択された前記字幕画像及びこの字幕画像に対応する前記背景画像を前記画像表示装置から表示させる表示制御手段として遊技機のコンピュータを機能させるものである。
【００１４】
また、本発明の記録媒体は、字幕選択テーブル及び前記字幕選択テーブルに対応付けされた背景画像を演出態様抽選により選択する演出態様抽選手段、前記演出態様抽選で選択された前記字幕選択テーブルの前記字幕画像のいずれかを、当たり又はハズレを決定する当たり抽選の結果に応じた確率で実行される字幕選択抽選によって選択する字幕抽選手段、前記字幕選択抽選によって選択された前記字幕画像及びこの字幕画像に対応する前記背景画像を前記画像表示装置から表示させる表示制御手段として遊技機のコンピュータを機能させるプログラムを記録したコンピュータ読み取り可能なものである。
【発明の効果】
【００１５】
本発明によれば、演出画像を背景画像とこの背景画像と併せて表示されるとともに前記図柄とは別個に表示される字幕画像とから構成し、字幕選択抽選で使用する字幕選択テーブルを選択する演出態様抽選を実行するとともに、演出態様抽選で選択された字幕選択テーブルの字幕画像のいずれかを当たり抽選の結果に応じた確率で実行される字幕選択抽選により選択し、字幕選択抽選によって選択された字幕画像及びこの字幕画像に対応する背景画像を画像表示装置から表示させるので、背景画像よりも小さな容量の表示データで表示することが可能な字幕画像を増やすだけで演出画像のバリエーションを増やすことが可能になり、製造コストの上昇を防止しながらも演出画像をバリエーション豊かにすることができる。
【００１６】
また、図柄の変動表示中に演出態様抽選及び字幕選択抽選が複数回行われるとともに、２回目以降の前記演出態様抽選では先行して選択された字幕選択テーブルの種類に応じて選択された字幕選択テーブルのうちのいずれかが演出態様抽選によって選択されるので、図柄の変動表示中に複数種類の字幕画像を表示することが可能になり、また、遊技の展開に予測がつかなくなって、遊技者の遊技への飽きを防止できる。
【００１７】
また、図柄の変動表示中に字幕選択抽選が複数回行われるとともに、各々の字幕選択抽選で用いる字幕選択テーブルの組み合わせが予め設定されており、演出態様抽選では字幕選択テーブルの組み合わせが選択されるので、図柄の変動表示中に複数種類の字幕画像を表示することが可能になり、また、遊技の展開に予測がつかなくなって、遊技者の遊技への飽きを防止できる。
【００１８】
また、字幕画像は、その種類に応じて表示色が異なるので、字幕画像の表示色によって当たりに当選したことへの期待度を表示することが可能になり、遊技の内容を明確にできる。
【００１９】
また、字幕画像で表示された字幕の内容を音声で出力し、字幕画像の種類に応じて音声のイントネーションを異ならせるので、音声のイントネーションによって当たりに当選したことへの期待度を表示することが可能になり、遊技の内容を明確にできる。
【発明を実施するための最良の形態】
【００２０】
図１に本発明の遊技機の一形態であるパチンコ機を示す。パチンコ機１０には遊技盤１１が組み込まれ、その前面はガラス扉１２で開閉自在に覆われている。遊技盤１１の盤面内には、図柄の変動／停止表示及び演出画像を表示する液晶ディスプレイ（画像表示装置）１５が設けられている。遊技盤１１には、さらに始動入賞口１６、通常入賞口１７、スルーチャッカ１８、アウト口１９などが設けられる他、開閉扉状のアタッカ２０が組み込まれている。図示の状態ではアタッカ２０は閉じ位置にあるが、これが開いたときには大入賞口２１が盤面に臨出し、盤面を流下するパチンコ球は開き位置にあるアタッカ２０の内面でガイドされ、大入賞口２１に簡単に入るようになる。ガラス扉１２の前面でその上部には一対のスピーカ２２が設けられている。スピーカ２２からは図柄の変動／停止表示の際の効果音や音楽、また、演出画像が表示された際に音声が出力される。
【００２１】
始動入賞口１６は一対の可動翼片を有し、盤面を流下するパチンコ球がスルーチャッカ１８を通過したことが検知されると、始動入賞口１６の翼片が例えば０．２秒間程度開放され、その瞬間には始動入賞口１６にパチンコ球が入りやすくなる。始動入賞口１３にパチンコ球が入ると当たり抽選が行われ、当たり／ハズレの決定が行われる。
【００２２】
図２に示すように、液晶ディスプレイ１５の画像表示領域１５ａは背景画像表示領域２０と字幕画像表示領域２１と図柄変動領域２２とに区画されている。背景画像表示領域２０からは例えば図中に示す人物（キャラクター）を含む背景画像２０ａが表示される。字幕画像表示領域２１からは例えば背景画像２０ａで示された人物のセリフを表現する字幕画像２１ａが表示される。そして、背景画像２０ａとこれに併せて表示される字幕画像２１ａとが演出画像を構成する。図柄変動領域２２では図柄２３が変動表示される。図柄２３は「１」〜「９」の９種類の数字で構成されている。図柄２３は、これが停止表示されているときには背景表示領域２０で表示される。そして、始動口１６にパチンコ球が入ると背景表示領域２０での図柄２３の停止表示が中止され、これと同時に図柄変動領域２２で図柄２３の変動表示が開始される。図柄２３の変動表示が終了すると、再び図柄２３が背景表示領域２０で停止表示されて当たり抽選の結果が表示される。このように、図柄２３の変動表示中は図柄２３を図柄変動領域２２で表示することによって背景画像２０ａの視認性を高め、遊技者の演出画像への興味を高めることができる。
【００２３】
図柄２３が停止表示されたときに同一の数字が揃った状態になると、当たりモードに移行してアタッカ２０が開放される。これにより、盤面を流下するパチンコ球の大半がアタッカ２０の内面でガイドされ、大入賞口２１に入賞して多くの賞球が得られる。アタッカ２０が開放して大入賞口２１に１０個のパチンコ球が入賞するか、あるいは３０秒経過するとアタッカ２０は一旦閉じ、第１ラウンドが終了する。第１ラウンドの終了から一定時間が経過すると再びアタッカ２０が開放されて第２ラウンドに移行する。そして、全く同様の制御が第１５ラウンドまで繰り返される。第１５ラウンドが終了すると当たりモードが終了となる。
【００２４】
図３に示すように、パチンコ機１０の動作は制御基板３０によって管制される。制御基板３０はＣＰＵ３１を備えている。ＣＰＵ３１はワーキングメモリ３２のプログラムを参照し、このプログラムに従って制御基板３０全体の制御を行う。
【００２５】
始動口センサ３３は始動口１６にパチンコ球が入ったことを検知して、その検知信号をＣＰＵ３１に入力する。大入賞口センサ３４は、大入賞口２１に入ったパチンコ球を検知してその検知信号をＣＰＵ３１に入力する。この情報はＣＰＵ３１によって適宜にワーキングメモリ３２に書き込まれ、アタッカ制御装置３５を介してアタッカ２０の開閉制御のために用いられる。通常入賞口センサ３６は通常入賞口１７にパチンコ球が入ったときにＣＰＵ３１に検知信号を入力する。ＣＰＵ３１はこの信号を受けて払出制御装置３７を作動させ、これにより所定数の賞球が払いだされる。なお、始動口センサ３３及び大入賞口センサ３４からの検知信号が入力されたときも、払出制御装置３７が作動してそれぞれ所定数の賞球の払出し処理が行われる。
【００２６】
払出口センサ３８は賞球の払出し通路を通過する賞球を検知し、その検知信号をＣＰＵ３１に入力する。ＣＰＵ３１は、始動口センサ３３、大入賞口センサ３４、通常入賞口センサ３６からの検知信号に応じて決まる賞球の払出し個数と、払出口センサ３８からの賞球検知信号とを対照し、賞球が過不足なく払い出されているか否かを監視し、球詰まりなどによる賞球の未払いや不正行為による賞球の払出しが行われたときには、ランプ制御装置３９や音声制御装置（音声出力手段）４０に信号を送り、エラー表示や音声によるエラーの警告を行うようにしている。
【００２７】
当たり抽選部４１は、ＣＰＵ３１からのコマンドを受けて乱数を利用した電子抽選を行い、当たり／ハズレの決定を行う。当たり抽選は、始動口１６にパチンコ球が入ったことを契機に行われる。当たり抽選を行った結果はワーキングメモリ３２に書き込まれる。
【００２８】
字幕抽選部（字幕抽選手段）４２は、当たり抽選の結果に応じた確率で字幕選択抽選を行い、第１〜第４字幕選択テーブル（字幕選択テーブル）４２ａ〜４２ｄのそれぞれに予め用意された複数種類の字幕画像のうち、いずれを液晶ディスプレイ１５から表示させるかを選択する。
【００２９】
第１〜第４字幕選択テーブル４２ａ〜４２ｄは、当たり抽選で当たりに当選した場合に使用される当たり用テーブルと当たり抽選でハズレとなった場合に使用されるハズレ用テーブルとからなり、当たり抽選の結果に応じたテーブルを選択して字幕選択抽選が行われる。当たり用テーブルとハズレ用テーブルとでは同一態様の字幕画像がそれぞれに割り当てられている。そして、当たりに当選した場合とハズレとなった場合とで同一態様の字幕画像同士の選択確率が異なるように、各テーブルでの乱数値の割り振りが行われている。これにより、表示される字幕画像の種類によって、当たりに当選した可能性の度合いの高低、すなわち、当たりに当選したことへの信頼度が表示される。また、当たり用テーブルにのみ設けられた字幕画像、ハズレ用テーブルのみに設けられた字幕画像もあり、これらが選択された場合は信頼度１００％あるいは信頼度０％となる。
【００３０】
演出態様抽選部（演出態様抽選手段）４３は、第１〜第４字幕選択テーブル４２ａ〜４２ｄ及びこれらの各々に対応付けされた背景画像の組み合わせのいずれかを演出態様抽選により選択し、字幕選択抽選で使用する第１〜第４字幕選択テーブル４２ａ〜４２ｄと背景画像の種類とを決定する。
【００３１】
演出態様抽選及び字幕選択抽選は１回の図柄の変動表示中に例えば２回実行される。２回目の抽選は１回目に字幕画像が表示されてから一定時間の経過後に実行される。２回目の演出態様抽選では、例えば１回目に選択された字幕選択テーブルが第１字幕選択テーブル４２ａだった場合には第２字幕選択テーブル４２ｂ又は第４字幕選択テーブル４２ｄのいずれか、先行して選択された字幕選択テーブルが第２字幕選択テーブル４２ｂだった場合には第３字幕選択テーブル４２ｃ又は第４字幕選択テーブル４２ｄのいずれかというように、１回目に選択された第１〜第４字幕選択テーブル４２ａ〜４２ｄの種類に応じて選択された複数の第１〜第４字幕選択テーブル４２ａ〜４２ｄのうちから字幕選択テーブルが選択される。なお、２回目に選択する第１〜第４字幕選択テーブル４２ａ〜４２ｄの種類は１回目に選択された第１〜第４字幕選択テーブル４２ａ〜４２ｄの種類と対応付けしてワーキングメモリ３２に格納されており、ＣＰＵ３１はこれを参照することによって２回目に選択する第１〜第４字幕選択テーブル４２ａ〜４２ｄを決定する。
【００３２】
背景画像メモリ４４には複数種類の背景画像の表示データが各背景画像に付されたアドレスごとに格納され、演出態様抽選ではそのアドレスが選択される。背景画像のアドレスには第１〜第４字幕選択テーブル４２ａ〜４２ｄも対応付けされている。これにより、演出態様抽選では、背景画像とこれに対応する第１〜第４字幕選択テーブル４２ａ〜４２ｄとが選択される。字幕画像メモリ４５には複数種類の字幕画像がアドレスごとに格納され、字幕選択抽選ではそのアドレスが選択される。
【００３３】
演出画像を表示するときには、字幕抽選部４２で指定されたアドレスを先頭にした字幕画像の表示データと演出態様抽選で指定されたアドレスを先頭にした背景画像の表示データとが表示制御装置（表示制御手段）４６に転送される。これに応答して表示制御装置４６は各画像を液晶ディスプレイ１５から表示させる。
【００３４】
なお、字幕画像の表示データは字幕画像の種類によって字幕の表示色が異なるように作成されている。このため、遊技者は例えば信頼度の高い字幕画像は赤色、信頼度の低い字幕画像は白色、中間となる字幕画像は黄色というように表示色を異ならせれば、遊技者は字幕画像の種類に応じた信頼度を記憶しなくても、字幕画像の表示色によってその信頼度を識別でき、これにより、遊技の内容が分かりやすいものとなる。また、表示制御装置４６は、上記演出画像だけでなく、ＣＰＵ３１からのコマンドに応じて図柄の変動表示及び停止表示をも制御している。
【００３５】
音声データメモリ４６には各字幕画像に対応する音声データがアドレスごとに格納されている。字幕抽選部４２で指定されたアドレスを先頭にした音声データは音声制御装置４０に転送される。これに応答して音声制御装置４０は字幕画像で表示された字幕の内容をスピーカ２２から音声で出力させる。なお、音声データは字幕画像の種類によってイントネーションが異なるように作成されている。このため、遊技者は字幕画像を視認しなくても字幕画像に併せて出力される音声のイントネーションによって信頼度を知ることができる。
【００３６】
次に演出画像の表示する際に実行される演出処理の流れについて説明する。図４に示すように、始動口１６でパチンコ球が検知されて当たり抽選が実行されると、当たり抽選の結果がワーキングメモリ３２に書き込まれる。当たり抽選が終了すると演出態様抽選部４３で演出態様抽選が実行される。
【００３７】
演出態様抽選が終了すると、演出態様抽選で選択された第１〜第４字幕選択テーブル４２ａ〜４２ｄを用いて字幕抽選部４２で字幕選択抽選が実行される。このとき、ＣＰＵ３１はワーキングメモリ３２を参照して当たり抽選の結果を識別し、識別した結果を字幕抽選部４２に入力する。これに応答して、字幕抽選部４２では演出態様抽選で選択された第１〜第４字幕選択テーブル４２ａ〜４２ｄの当たり用テーブル又はハズレ用テーブルが選択され、選択されたテーブルで字幕選択抽選が実行される。
【００３８】
字幕選択抽選が終了すると図柄の変動表示が開始されるとともに、演出態様抽選で選択された第１〜第４字幕選択テーブル４２ａ〜４２ｄに対応する背景画像及び字幕選択抽選で選択された字幕画像が液晶ディスプレイ１５から表示される。また、これと同時に表示された字幕画像の字幕の内容がスピーカ２２から音声で出力される。字幕画像の表示から一定時間が経過すると再び演出態様抽選が実行される。
【００３９】
このとき、演出態様抽選部４３では、１回目の演出態様抽選で選択された第１〜第４字幕選択テーブル４２ａ〜４２ｄの種類に応じて２回目の演出態様抽選で選択する第１〜第４字幕選択テーブル４２ａ〜４２ｄを選択する。これによって字幕画像で示される字幕の内容が不自然に繋がることが防止される。２回目の字幕選択抽選が終了して２回目に字幕画像及び背景画像が表示されるとその後に図柄が停止表示され、当たり抽選の結果が表示される。当たり抽選で当たりに当選していた場合にはＣＰＵ３１は当たりモードに移行させる。
【００４０】
なお、図柄の変動時間を複数種類設定しておき、この変動時間に応じて１回の図柄の変動表示で演出態様抽選を実行する回数を決定してもよい。この場合、例えば最後の１つを残して他の図柄が停止し、変動表示中の図柄が停止すると当たりとなり得る、いわゆるリーチ状態のときは図柄の変動時間が相対的に長くなるようにしておけば、演出態様抽選の実行回数が増えるほど遊技者の当たりへの期待感を高めることができる。
【００４１】
また、後続して選択される第１〜第４字幕選択テーブル４２ａ〜４２ｄが当たり抽選の結果によってその種類ごとの選択確率が変化する、あるいは、後続して選択する字幕画像の種類が当たり抽選の結果によってその種類ごとの選択確率が変化するなど、後続して選択される第１〜第４字幕選択テーブル４２ａ〜４２ｄの選択確率や字幕画像の選択確率を当たり抽選の結果に応じて設定すれば、信頼度の高い字幕画像が複数回表示されることへの遊技者の期待感を高めることができ、１回の変動表示中に演出態様抽選を複数回実行したときの遊技者の遊技への興趣を高めるうえで効果的である。
【００４２】
なお、本発明とは別の実施形態として、１回の図柄の変動表示中に字幕選択抽選を複数回実行するにあたって、各々の字幕選択抽選で用いる第１〜第４字幕選択テーブル４２ａ〜４２ｄの組み合わせを予め設定しておくことも可能である。この場合、ワーキングメモリ３２に、例えば第１字幕選択テーブル４２ａ（１回目）→第２字幕選択テーブル４２ｂ（２回目）、第３字幕選択テーブル４２ｃ（１回目）→第４字幕選択テーブル４２ｄ（２回目）というように、字幕選択抽選の回数とそれぞれで使用する第１〜第４字幕選択テーブル４２ａ〜４２ｄの種類とを対応付けして格納すればよい。以下にこの実施形態についての演出処理の流れについて説明するが、図４と同様の処理を行う部分については詳しい説明を省略する。
【００４３】
図５に示すように、当たり抽選が終了すると演出態様抽選が行われる。演出態様抽選ではワーキングメモリ３２に格納された字幕選択の組み合わせを抽選により決定し、決定した組み合わせをワーキングメモリ３２に書き込んでおく。そして、字幕選択抽選が行われるたびにワーキングメモリ３２が参照され、字幕選択抽選で使用する字幕選択テーブルが識別される。字幕選択抽選で字幕画像を選択した後の処理については図４と同様の処理が行われる。
【００４４】
図６は記録媒体（ＣＤ，フレキシブルディスク，ＩＣメモリ，ＭＯ等）６０をスロットマシン１０にインストールする例を示しており、記録媒体６０には図４及び図５のフローチャートで示すような手段を、ＣＰＵ２９とワーキングメモリ３０とを含むコンピュータ６１で実現するためのプログラムが格納されている。この場合、例えば字幕選択テーブル及び前記字幕選択テーブルに対応付けされた背景画像を演出態様抽選により選択する演出態様抽選手段、前記演出態様抽選で選択された前記字幕選択テーブルの前記字幕画像のいずれかを、当たり又はハズレを決定する当たり抽選の結果に応じた確率で実行される字幕選択抽選によって選択する字幕抽選手段、前記字幕選択抽選によって選択された前記字幕画像及びこの字幕画像に対応する前記背景画像を前記画像表示装置から表示させる表示制御手段としてコンピュータ６１を機能させるためのプログラムを記録媒体６０に記録する。そして、この記録媒体６０を読み取り装置６２に装填して、プログラムをスロットマシン１０にインストールする。
【００４５】
なお、前記プログラムは、記録媒体６０を介してインストールする代わりにインターネットを利用してスロットマシン１０に配信することができる。また、配信された本発明のプログラム、又は、記録媒体６０から読み出した本発明のプログラムをパソコンにインストールし、モニタ上でスロットマシンの遊技を行うことも可能である。
【００４６】
以上、図示した実施形態にしたがって説明してきたが、画像表示装置には液晶ディスプレイだけでなく、ＥＬ（エレクトロルミネッセンス）ディスプレイやＬＥＤをドットマトリクス状に並べた表示デバイスなどを用いてもよい。
【００４７】
また、上記実施形態では、１回の図柄の変動表示中に字幕選択抽選を複数回実行したが、１回の図柄の変動表示に対して字幕選択抽選を１回実行してもよく、さらに、字幕選択抽選では字幕画像の種類を選択するのみならず、字幕画像を表示するか否かを同時に決定してもよい。
【００４８】
本発明はパチンコ機だけでなく例えばスロットマシンなど、当たり抽選を実行して演出画像を表示する遊技機であれば、等しく適用が可能である。スロットマシンに本発明を適用する場合、スロットマシンではリールが用いられ、その外周に図柄が配列され、リールの回転によって図柄の変動表示が行われるが、その他に当たり抽選の結果に応じた演出画像の表示のために液晶ディスプレイやＥＬディスプレイなどの画像表示装置を設ければよい。そして、リールと別個に設けた画像表示装置で背景画像と字幕画像とを表示させれば本発明が実現可能となる。
【図面の簡単な説明】
【００４９】
【図１】本発明を用いたパチンコ機の外観図である。
【図２】液晶ディスプレイでの画像表示領域の構成を示す説明図である。
【図３】パチンコ機の電気的構成の概略を示すブロック図である。
【図４】図柄の変動表示中に演出態様抽選及び字幕選択抽選を複数回実行する場合の演出処理の流れを示すフローチャートである。
【図５】予め設定された字幕選択テーブルの組み合わせに従って図柄の変動表示中に字幕選択抽選を複数回実行する場合の演出処理の流れを示すフローチャートである。
【図６】プログラムが格納された記録媒体をパチンコ機にインストールする場合の説明図である。
【符号の説明】
【００５０】
１０  パチンコ機（遊技機）
１５  液晶ディスプレイ（画像表示装置）
２２  スピーカ
３１  ＣＰＵ
３２  ワーキングメモリ
４０  音声制御装置（音声出力手段）
４２  字幕抽選部（字幕抽選手段）
４２ａ〜４２ｄ  第１〜第４字幕選択テーブル（字幕選択テーブル）
４３  演出態様抽選部（演出態様抽選手段）
４６  表示制御装置（表示制御手段）
６０  記録媒体
６１  コンピュータ
【図１】
2007244756.tif 000003
【図２】
2007244756.tif 000004
【図３】
2007244756.tif 000005
【図４】
2007244756.tif 000006
【図５】
2007244756.tif 000007
【図６】
2007244756.tif 000008